(57)【要約】【課題】  チューナ部を少なくとも２つ装備したデジタル放送受信装置において、一方のチューナ部で任意の番組を記録しながら他方のチューナ部で番組を視聴した場合、意に反して記録中の番組を視聴してしまう問題があり、これについてチャンネルの同一性を判断したときにコーションデータを表示させることで前記問題を解決させることを課題とする。【解決手段】  第1のチューナ部２を視聴用に、第２のチューナ部３を記録用に設定して動作させ、記録中のパーシャルトランスポートストリームの記録用チャンネル情報と、視聴すべく選択したサービスに係るトランスポートストリームの視聴用チャンネル情報とを比較し、両者が一致した場合にシステム制御部１２は一致フラグデータを発生させ、それによりオンスクリーン表示制御部１３及び映像信号処理部８が、注意情報を含んだ映像信号を映像表示装置１４に出力させるようにした。【選択図】      図１
2005159979.tif 000002
【特許請求の範囲】
【請求項１】
映像情報、音声情報、及び文字図形情報を含むデジタル放送信号を受信するデジタル放送受信装置において、
視聴用チャンネル情報と記録用チャンネル情報とが供給される入力Ｉ／Ｆ部と、
前記入来デジタル放送信号の選局と、この選局された前記デジタル放送信号の復調と、この復調データの誤り訂正とを行ってトランスポートストリーム（ＴＳ）を第１又は第２のＴＳとをそれぞれ生成する第１及び第２のチューナ部と、
前記第１のチューナ部から供給された第１のＴＳについて、視聴番組に該当する映像、音声、及びデータストリームを分離する一方、他方外部の記録再生装置から供給されたパーシャルトランスポートストリーム（パーシャルＴＳ）から映像、音声、及びデータストリームをそれぞれ分離し、前記各分離されたストリームのいずれか一方を選択する多重分離部と、
前記第２のチューナ部から供給された第２のＴＳについて、前記記録再生装置に記録するためのパーシャルＴＳを生成するパーシャルＴＳ生成部と、
前記多重分離部から供給された映像及び音声ストリームをデコード処理して映像及び音声データを生成する映像デコード部及び音声デコード部と、
前記多重分離部から供給された前記データストリームをデコード処理してテキスト又はグラフィックスを出力するデコード手段と、
前記視聴用チャンネル情報と記録用チャンネル情報とを比較して同一である場合は一致フラグデータを出力する比較手段と、
前記一致フラグデータに基づき、前記テキスト又はグラフィックスと自己保有のコーションデータとを合成してオンスクリーンデータを発生させるオンスクリーン表示制御部と、
前記発生されたオンスクリーンデータと前記映像デコード部から供給された映像データとを合成して映像信号を生成する映像信号処理部と、
前記音声デコード部から供給された音声データを音声信号に変換する音声信号処理部と、
を備えたことを特徴とするデジタル放送受信装置。
【発明の詳細な説明】
【技術分野】
【０００１】
本発明は、デジタル放送信号を受信可能なデジタル放送受信装置に係り、特に複数のチューナを装備し任意に選択したチャンネルを視聴すると同時に、別のチャンネルの記録を行うことが可能なデジタル放送受信装置に関する。
【背景技術】
【０００２】
受信したデジタル放送から複数のチャンネルのサービスを視聴又は記録することが可能なデジタル放送受信装置において、利用者は任意に選択したチャンネルの番組コンテンツを記録しながら、自由に選局操作を行って他チャンネルの番組コンテンツを視聴することができる。このような機能を有するデジタル放送受信装置は、例えば特許文献１（特開平１１−３３１７２１号公報）に記載されている。
【特許文献１】特開平１１−３３１７２１号公報
【発明の開示】
【発明が解決しようとする課題】
【０００３】
上述したように、通常任意に選択したチャンネルの番組コンテンツを記録している最中に、他の番組コンテンツを視聴するために選局操作を行うことはよく行われる操作であるが、そのような場合において、利用者は記録中のコンテンツをその時点では少しであっても視聴したくないことがある。
しかし、従来のデジタル放送受信装置では、利用者が特に注意して選局操作を行わないときや、誤操作等によって記録中のチャンネルを選択してしまったとき等、その選択されたチャンネルの番組コンテンツが現在記録中であるということを容易に認識できない場合、利用者の意に反して記録中のコンテンツを視聴してしまうという問題があった。
【０００４】
そこで、本発明は従来のデジタル放送受信装置に係る問題を解決するためになされたものであり、利用者が任意に選択したチャンネルの番組コンテンツを記録している最中に、記録中のコンテンツと任意に選択した視聴チャンネルの番組コンテンツとが同一であるか否かを判定し、その結果に基づき視聴されるコンテンツが表示されている映像表示装置に注意情報等を表示させることで、利用者に注意を喚起させるデジタル放送受信装置を提供することを目的とする。
【課題を解決するための手段】
【０００５】
本発明は、上述した課題を解決するために以下の手段より構成したものである。
映像情報、音声情報、及び文字図形情報を含むデジタル放送信号を受信するデジタル放送受信装置において、視聴用チャンネル情報と記録用チャンネル情報とが供給される入力Ｉ／Ｆ部と、前記入来デジタル放送信号の選局と、この選局された前記デジタル放送信号の復調と、この復調データの誤り訂正とを行ってトランスポートストリーム（ＴＳ）を第１又は第２のＴＳとをそれぞれ生成する第１及び第２のチューナ部と、前記第１のチューナ部から供給された第１のＴＳについて、視聴番組に該当する映像、音声、及びデータストリームを分離する一方、他方外部の記録再生装置から供給されたパーシャルトランスポートストリーム（パーシャルＴＳ）から映像、音声、及びデータストリームをそれぞれ分離し、前記各分離されたストリームのいずれか一方を選択する多重分離部と、前記第２のチューナ部から供給された第２のＴＳについて、前記記録再生装置に記録するためのパーシャルＴＳを生成するパーシャルＴＳ生成部と、前記多重分離部から供給された映像及び音声ストリームをデコード処理して映像及び音声データを生成する映像デコード部及び音声デコード部と、前記多重分離部から供給された前記データストリームをデコード処理してテキスト又はグラフィックスを出力するデコード手段と、前記視聴用チャンネル情報と記録用チャンネル情報とを比較して同一である場合は一致フラグデータを出力する比較手段と、前記一致フラグデータに基づき、前記テキスト又はグラフィックスと自己保有のコーションデータとを合成してオンスクリーンデータを発生させるオンスクリーン表示制御部と、前記発生されたオンスクリーンデータと前記映像デコード部から供給された映像データとを合成して映像信号を生成する映像信号処理部と、前記音声デコード部から供給された音声データを音声信号に変換する音声信号処理部とを備えたことを特徴とするデジタル放送受信装置。
【発明の効果】
【０００６】
本発明のデジタル放送受信装置によれば、利用者が後で視聴したいと欲する任意に選択したチャンネルの番組コンテンツを記録しながら、任意に選択したチャンネルの番組コンテンツを視聴する際、利用者の操作によって記録チャンネルのコンテンツと視聴チャンネルのコンテンツとが一致して記録中の番組が映像表示装置に表示されてしまった場合、同時にそれを利用者に知らせる注意情報が明示されるため、利用者は現在選択している視聴チャンネルの番組が現在記録中の番組であることをすぐに認識でき、意に反して記録番組を視聴し続けることを防ぐ効果がある。
【発明を実施するための最良の形態】
【０００７】
以下、本発明の実施の形態例について図面を参照しながら詳細に説明する。図１は、本発明に係るデジタル放送受信装置の全体構成を示したブロック図である。図１において、１は映像情報、音声情報、及び文字図形情報で構成されたデジタル放送信号を受信する受信部、２は受信部１で受信された前記デジタル放送信号について選局を行い、この選局された信号をデジタルデータに復調して誤り訂正をした後、このデータがスクランブル処理されたデータであればデスクランブル処理を行ってトランスポートストリーム（Ｔｒａｎｓｐｏｒｔ  Ｓｔｒｅａｍ  以下、ＴＳ）を出力する第１のチューナ部、３は第１のチューナ部と同一の機能を有した第２のチューナ部、４は第２のチューナ部３から供給されたＴＳについて、記録チャンネルに対応したストリームのみを抽出してパーシャルトランスポートストリーム（以下、パーシャルＴＳ）を生成するパーシャルＴＳ生成部、５はパーシャルＴＳ生成部４で生成された前記パーシャルＴＳを後述する記録再生装置１６に出力し、又記録再生装置１６から供給された再生用パーシャルＴＳを後述する多重分離部６に供給する記録再生制御部、６は第１のチューナ部２から供給された前記ＴＳについて、視聴チャンネルに対応した映像ストリーム、音声ストリーム、及びデータストリームを分離する一方、他方記録再生制御部５から供給された前記再生用パーシャルＴＳを映像ストリーム、音声ストリーム、及びデータストリームに分離し、前記分離された視聴チャンネルに対応した各ストリームと前記再生用パーシャルＴＳに対応した各ストリームのいずれか一方を出力する多重分離部、７は多重分離部６から供給された前記映像ストリームをデコード処理して映像データに変換し出力する映像デコード部、８は映像デコード部７から供給された前記映像データと、後述するオンスクリーン表示制御部１３から供給されたオンスクリーンデータとを合成して映像信号を出力する映像信号処理部、９は多重分離部６から供給された前記音声ストリームをデコード処理して音声データに変換し出力する音声デコード部、１０は音声デコード部９から供給された前記音声データを音声信号に変換する音声信号処理部、１１は本デジタル放送受信装置の外部から入力された制御情報を後述するシステム制御部１２に供給する入力Ｉ／Ｆ部、１２は前記制御情報に基づき、第１のチューナ部２、第２のチューナ部３、パーシャルＴＳ生成部４、記録再生制御部５、多重分離部６、入力Ｉ／Ｆ部１１、又はオンスクリーン表示制御部１３を制御し、また多重分離部６から供給された前記データストリームを自らが有するデコードソフトウェアによってデコード処理してテキスト又はグラフィックスを後述するオンスクリーン表示制御部１３に供給するシステム制御部、１３は前記供給されたテキスト又はグラフィックスと自らが保持した注意情報のコーションテキストとを合成して前記オンスクリーンデータとして、又は前記コーションテキストのみを前記オンスクリーンデータとして映像信号処理部８に供給するオンスクリーン表示制御部、１４は映像信号処理部８から供給された前記映像信号を表示する映像表示装置、１５は音声信号処理部１０から供給された前記音声信号を出力する音声出��装置、１６は記録再生制御部５から供給された前記パーシャルＴＳを記録し、又既に記録されている前記再生用パーシャルＴＳを記録再生制御部５に供給する記録再生装置である。
【０００８】
上記構成の内、本デジタル放送受信装置は、構成部２乃至１３（図１中破線で囲まれた部分）からなるものである。
なお、上記構成の説明において受信部１は、例えばＢＳデジタル放送やＣＳ放送等のデジタル衛星放送においては衛星受信アンテナを指し、ケーブルテレビ放送においては伝送ケーブルを家屋に引き込み本デジタル放送受信装置に接続するためのコンバータ等を指すものである。
【０００９】
また、前述の入力Ｉ／Ｆ部１１に外部から入力された制御情報とは、例えば本デジタル放送受信装置が、図示しない入力操作部を具備した機器に組み込まれて入力Ｉ／Ｆ部１１と前記入力操作部とが接続されている場合に、利用者が前記入力操作部を操作して発せられる制御情報、若しくは入力Ｉ／Ｆ部１１がリモコン受信部であって図示しないリモコン装置から発せられる制御情報、又は図示しないＣＰＵ等のプロセッサが入力Ｉ／Ｆ部１１に接続されている場合に、前記プロセッサから発せられる制御情報等である。
【００１０】
さらに、記録再生装置１６は、例えばＤ−ＶＨＳレコーダ等のＶＴＲ装置やハードディスクレコーダ装置等である。
【００１１】
次に、本デジタル放送受信装置の動作について説明する。まず、受信部１に入力されたデジタル放送信号は、この信号の伝送方式に適合して動作する第１のチューナ部２及び第２のチューナ部３に供給される。これにおいて、例えば受信部１がデジタル衛星放送を受信する衛星受信アンテナであった場合、前記デジタル放送信号は、前記衛星受信アンテナが有するコンバータ部で放送の種類と衛星のトランスポンダに対応して周波数変換された後、第１のチューナ部２及び第２のチューナ部３に供給される。
【００１２】
これら２つのチューナ部は、システム制御部１２によって、第１のチューナ部２が利用者の視聴用チューナ部として、又第２のチューナ部３が記録再生装置１６への記録用チューナ部として動作するよう制御される。具体的には、外部から入力Ｉ／Ｆ部１１を介してシステム制御部１２に供給された制御情報の内、選局するために必要な視聴用チャンネル情報と記録用チャンネル情報とに基づき、システム制御部１２が視聴用チャンネルを伝送するＴＳを取得するよう第１のチューナ部２を制御し、又記録要チャンネルを伝送するＴＳを取得するよう第２のチューナ部３を制御する。
【００１３】
次に、第１のチューナ部２及び第２のチューナ部３以降の動作について、視聴動作モードと記録動作モードと再生動作モードとに分けて説明する。
まず、前記視聴動作モードについて以下説明する。第1のチューナ部２では、入来した前記デジタル放送信号について、システム制御部１２から供給された前記視聴用チャンネル情報に基づきデジタル復調処理と誤り訂正処理とが行われ、次いでこの誤り訂正処理されたデータがスクランブル処理されたデータである場合は、その処理を解除するようデスクランブル処理がされて視聴用のＴＳが抽出される。
【００１４】
次に、この抽出されたＴＳは多重分離部６に供給される。多重分離部６は、前記供給されたＴＳの処理（前記視聴動作モード）と、後述する記録再生制御部５から供給されるパーシャルＴＳの処理（前記再生動作モード）との共用処理部であるため、いずれか一方の処理を選択する必要がある。このため、システム制御部１２は、前記視聴動作モードの処理に設定するための情報を含んだＴＳ選択情報を多重分離部６に供給し、これにより多重分離部６は前記供給されたＴＳが処理されるよう設定される。
【００１５】
次に、多重分離部６は、前記供給されたＴＳが複数のストリームが多重化された状態であるため、前記視聴用チャンネル情報に基づき、対応する映像ストリーム、音声ストリーム、及びデータストリームを分離して出力する。ここで、例えば前記構成に前記データストリームが含まれていない場合は、前記映像ストリームと前記音声ストリームとが分離されることになる。
【００１６】
これにおいて、前記視聴用チャンネル情報に基づき、前記供給されたＴＳから前記映像ストリーム、前記音声ストリーム、及び前記データストリームを分離する手段は、周知のトランスポートデコードに係る多重分離技術によって実現することが十分可能である。
なお、上記の手段によって多重分離部６から出力される各ストリームは、ＰＥＳ（Ｐａｃｋｅｔｉｚｅｄ  Ｅｌｅｍｅｎｔａｒｙ  Ｓｔｒｅａｍ）又はＥＳ（Ｅｌｅｍｅｎｔａｒｙ  Ｓｔｒｅａｍ）によるパケットデータであることが望ましい。
【００１７】
次に、多重分離部６から出力された前記映像ストリーム（例えば、映像ＰＥＳ）は映像デコード部７に、前記音声ストリーム（例えば、音声ＰＥＳ）は音声デコード部９に、又前記データストリーム（例えば、データＰＥＳ又はデータＥＳ）はシステム制御部１２に供給される。
【００１８】
次に、映像デコード部７では供給された前記映像ストリームがデコード処理され、映像データとして映像信号処理部８に出力される。また、音声デコード部では供給された前記音声ストリームがデコード処理され、音声データとして音声信号処理部１０に出力される。ここで、これら映像ストリーム又は音声ストリームのデコード処理とは、例えばこれらのストリームについてのシーケンスヘッダ検出、映像デコード、音声デコード、同期再生といった周知技術によるデコード処理を指すものである。また、前記映像ストリームは例えば、ＭＰＥＧ２  Ｖｉｄｅｏ方式、前記音声ストリームはＭＰＥＧ１方式、ＡＡＣ（Ａｄｖａｎｃｅｄ  Ａｕｄｉｏ  Ｃｏｄｉｎｇ）方式等によるものである。
【００１９】
一方、多重分離部６から前記データストリームが出力された場合は、それがシステム制御部１２に供給されて前記デコードソフトウェアによってデコード処理がされ、前記テキスト又はグラフィックスが抽出されてオンスクリーン表示制御部１３に供給される。
【００２０】
次に、オンスクリーン表示制御部１３では、第１のチューナ部２で受信してデコード処理しているサービス（前記視聴動作モード）と、後述する第２のチューナ部３で受信して記録しているサービス（前記記録動作モード）とが同じサービスであった場合に、利用者に映像表示装置１４の表示でそれを知らせるための前記コーションテキストが前記供給されたテキスト又はグラフィックスと合成されて出力されるが、これについては後述する。
【００２１】
本デジタル放送受信装置の最終段として、映像信号処理部８では映像デコード部７から供給された前記映像データと、オンスクリーン表示制御部１３から供給された前記オンスクリーンデータとが映像合成される。そして、規格化された方式のテレビ信号に変換された後、映像表示装置１４に出力されて映像表示される。
一方、音声信号処理部１０では、音声デコード部９から供給された前記音声データが規格化された音声信号に変換された後、音声出力装置１５に出力されて音声として出力される。
【００２２】
次に、前記記録動作モードについて以下説明する。第２のチューナ部３では、入来した前記デジタル放送信号について、システム制御部１２から供給された前記記録用チャンネル情報に基づきデジタル復調処理と誤り訂正処理とが行われ、次いでこの誤り訂正処理されたデータがスクランブル処理されたデータである場合は、その処理を解除するようデスクランブル処理がされて、記録用のＴＳが抽出される。
【００２３】
次に、この抽出されたＴＳはパーシャルＴＳ生成部４に供給される。この供給されたＴＳは複数のストリームが多重化された状態であるため、パーシャルＴＳ生成部４は、システム制御部１２から供給された前記記録用チャンネル情報に基づき、対応するストリームのみを抽出してパーシャルＴＳを生成する。続いて、この抽出されたパーシャルＴＳは記録再生制御部５に供給され、システム制御部１２によるバッファリング制御によって記録再生装置１６に出力される。このバッファリング制御とは、パーシャルＴＳ生成部４から供給されるパーシャルＴＳのデータレートと、記録再生装置１６の入力許容データレートとを調整して伝送データの過不足を無くすためのものである。
【００２４】
また、システム制御部１２は、記録再生制御部５を介して記録再生装置１６をも制御する。この制御は、例えば記録再生装置１６の記録開始、記録停止等の操作に関する制御である。これにおいて、記録再生装置１６がＤ−ＶＨＳレコーダ装置やハードディスクレコーダ装置といった外部記録装置である場合は、前記システム制御部１２の制御は記録再生制御部５にて前記外部記録装置を直接制御できるようインターフェースされる。
【００２５】
次に、前記再生動作モードについて以下説明する。本デジタル放送受信装置の外部から入力Ｉ／Ｆ部１１に入力された再生制御情報を含む制御情報は、システム制御部１２に供給され、システム制御部１２は前記制御情報に基づいて記録再生制御部５に前記再生制御情報を供給する。また、多重分離部６の内部処理のパスについて、記録再生制御部５から供給されるパーシャルＴＳの処理が行われるように、システム制御部１２は前記再生動作モードのパスに固定するための情報を含んだ前記ＴＳ選択情報を多重分離部６に供給する。これにより、多重分離部６は前記再生動作モードに設定される。
【００２６】
続いて、記録再生制御部５に供給された前記再生制御情報によって記録再生装置１６は制御され、前記記録動作モードによって記録されたパーシャルＴＳが記録再生装置１６から再生出力される。記録再生装置１６から再生出力された前記パーシャルＴＳは、記録再生制御部５に入力されてシステム制御部１２の制御によってバッファリングされながら多重分離部６に供給される。
【００２７】
多重分離部６に供給された前記パーシャルＴＳは、その構成によって映像ストリーム、音声ストリーム、及びデータストリームに分離されて出力される。なお、これ以降の処理については、前述した視聴動作モードにおける処理と同一であるため説明を省略する。
【００２８】
次に、第１のチューナ部２で受信してデコード処理しているサービス（前記視聴動作モード）と、第２のチューナ部３で受信して記録しているサービス（前記記録動作モード）とが同じサービスであった場合の処理について以下説明する。これら両サービスの比較は、予め利用者が外部から入力Ｉ／Ｆ部１１を介してシステム制御部１２に入力した視聴用チャンネル情報と記録用チャンネル情報とに基づいて、システム制御部１２が前記両情報を比較することで判断するものである。この比較によって前記両情報が同一であった場合、システム制御部１２は同一であることを示す一致フラグデータをオンスクリーン表示制御部１３に供給する。
【００２９】
次に、オンスクリーン表示制御部１３では、前記一致フラグデータの供給に基づき予め保持している前記コーションデータを発生させる。ここで、システム制御部１２から前記テキスト又はグラフィックスが供給されている場合は、このテキスト又はグラフィックスと前記コーションデータとが合成される。そして、この合成されたデータ又は前記コーションデータのみが映像信号処理部８に供給され、最終的に視聴用の前記映像データと合成されて出力される。
【００３０】
ここで、視聴用のサービスと記録用のサービスとが同一であった場合の映像表示装置１４における画面表示例を図２に示す。図２において、１０１は選択した番組の動画映像、１０２はテキスト／グラフィックスデータ、１０３はコーションデータである。
なお、前述のとおりコーションデータ１０３はオンスクリーン表示制御部１３にて発生される固定メッセージであるが、例えば、多重分離部６にて抽出されたＴＳから分離されたデータストリームに記録されているテキスト情報をシステム制御部１２にて抽出し、この抽出されたテキストデータをオンスクリーン表示制御部１３に供給して、前記コーションデータとして使用してもよい。
【００３１】
また、図２ではコーションデータ１０３と選択された番組の動画映像１０１両方が表示されているが、例えばコーションデータ１０３が表示されている間は、動画映像１０１とテキスト／グラフィックスデータ１０２の表示を単一色のバックカラーでマスクして見えなくするようにしてもよい。これについては、図３に例示したように、オンスクリーン表示制御部１３が前記一致フラグデータを受信している間、コーションデータ１０３と前記単一色のバックカラー１０４とを合成させたデータを映像信号処理部８に供給し、この供給されたデータのみを映像信号に変換させる処理を行えばよい。
【００３２】
以上詳述したように、本デジタル放送受信装置を使用することにより、利用者が任意のチャンネルの放送番組を記録しながら任意にチャンネルを変えて視聴する場合、前記両方のチャンネルが重なったときにそれを知らせる情報が記録表示装置１４の画面に表示されるので、利用者は意に反して記録中の番組を視聴し続けるのを防ぐ格別の効果を得ることができる。
また、図３に示したように、オンスクリーン表示制御部１３が一致フラグデータを受信している間、コーションデータ１０３と前記単一色のバックカラー１０４とを合成させたデータを映像信号処理部８に供給して映像信号に変換させることにより、利用者が意に反して記録中の番組を視聴しようとしても自動的に映像がマスクされるため、該映像を視聴することを防ぐ効果が得られる。
【産業上の利用可能性】
【００３３】
以上のように、本発明に係るデジタル放送受信装置は、入来したデジタル放送信号について２つのチューナ部でそれぞれ任意のチャンネルを受信することができ、且つ利用者が設定したチャンネル情報に基づき、サービスの同一性を判断することができる。
そこで、本発明の産業上の利用可能性として、例えばチューナ部の数をさらに増やして多チャンネル同時受信装置としてハードウェアを拡張すれば、前記チューナ部と同数以下の映像表示装置とを接続することにより多チャンネルの同時映像表示が実現でき、しかも選択したサービスが重なった場合は別のチャンネルにチューニングし直すといった制御を行って、多チャンネル独立同時上映のシステム構築に応用することができる。
【図面の簡単な説明】
【００３４】
【図１】本発明に係るデジタル放送受信装置の構成例を示した図である。
【図２】本発明に係るデジタル放送受信装置における、視聴用のサービスと記録用のサービスとが同一であった場合の映像表示装置１４における画面表示例である。
【図３】本発明に係るデジタル放送受信装置における、視聴用のサービスと記録用のサービスとが同一であった場合の映像表示装置１４における画面表示例である。（バックカラー上にコーションデータを表示した例。）
【符号の説明】
【００３５】
１  受信部
２  第１のチューナ部
３  第２のチューナ部
４  パーシャルＴＳ生成部
５  記録再生制御部
６  多重分離部
７  映像デコード部
８  映像信号処理部
９  音声デコード部
１０  音声信号処理部
１１  入力Ｉ／Ｆ部
１２  システム制御部
１３  オンスクリーン表示制御部
１４  映像表示装置
１５  音声出力装置
１６  記録再生装置
【図１】
2005159979.tif 000003
【図２】
2005159979.tif 000004
【図３】
2005159979.tif 000005